(57)【要約】【課題】内蔵バッテリーへの充電期間中に表示部を有効利用することができると共に、必要に応じて充電情報を視認性良好に表示することができる。【解決手段】内蔵バッテリーへの充電期間中に予め設定した画像を情報通信端末５０の表示部６に表示する。また、この画像表示した表示部６の同一画面中に内蔵バッテリーの充電容量などを示した充電情報を例えば間欠的に表示する。【選択図】  図１
2004320909.tif 000002
【特許請求の範囲】
【請求項１】
着脱可能な充電器により内蔵バッテリーに充電する充電手段と、文字や画像を表示する表示部とを有する情報通信端末において、
画像を取得する画像取得手段と、
前記取得した画像の中で表示する画像を設定する設定手段と、
前記内蔵バッテリーに充電中に前記設定した画像を前記表示部に表示する表示制御手段と、
を備えたことを特徴とする情報通信端末。
【請求項２】
前記画像取得手段は、撮像手段であることを特徴とする請求項１に記載の情報通信端末。
【請求項３】
前記充電手段により充電される内蔵バッテリーの電圧値が所定値を超えたか否かを判別する判別手段を更に備え、
前記表示制御手段は、前記判別手段によって内蔵バッテリーの電圧値が前記所定値を超えたと判別されると、前記設定した画像を前記表示部に表示することを特徴とする請求項１又は２に記載の情報通信端末。
【請求項４】
前記充電手段により充電される内蔵バッテリーの充電情報を取得する充電情報取得手段を更に備え、
前記表示制御手段は、前記設定した画像と共に、前記充電情報取得手段によって取得された充電情報を表示することを特徴とする請求項１乃至３いずれかに記載の情報通信端末。
【請求項５】
前記充電情報は前記表示部に間欠表示されることを特徴とする請求項４に記載の情報通信端末。
【請求項６】
前記設定手段により複数枚の静止画が設定されると、前記表示制御手段は、前記設定された複数枚の静止画を１枚ずつ順番に且つ循環的に前記表示部に表示することを特徴とする請求項１乃至５いずれかに記載の情報通信端末。
【発明の詳細な説明】
【０００１】
【発明の属する技術分野】
本発明は、表示部を有する情報通信端末（ＰＤＡ）に係り、特に内蔵バッテリーの充電時の表示部の管理に関する。
【０００２】
【従来の技術】
従来より、情報通信端末の未使用時には内蔵バッテリーへの充電を目的として情報通信端末を例えばクレードルと呼ばれる充電器に設置し、内蔵バッテリーへの充電を行う。この際、情報通信端末の表示部には何も表示されないか、隅の方に充電表示の絵文字や日付などが小さく表示される程度で、画面のほとんどは無表示状態であった（例えば特許文献１参照）。
【０００３】
【特許文献１】
特開２００２−２２９６７３号公報（第３−４頁、第２図）
【０００４】
【発明が解決しようとする課題】
上記のように情報通信端末をクレードルに設置して充電をしている時、表示部には何も表示されないか或いは、充電表示の絵文字や日付などが小さく表示されるだけである。それ故、情報通信端末が何をしているのか分からない場合があると共に、内蔵バッテリーへの充電経過状態などを示した充電情報が分からないか、見にくいため、充電終了時間を一瞥で知ることができず、何かと不便であった。
【０００５】
また、かなり大きい何も写っていない情報通信端末の表示部が部屋にあるのは無粋であり、場合によっては邪魔な存在でもあって表示部の有効利用がなされていなかった。
【０００６】
本発明は、上述の如き従来の課題を解決するためになされたもので、その目的は、内蔵バッテリーへの充電期間中に表示部を有効利用することができると共に、必要に応じて充電情報を視認性良好に表示することができる情報通信端末を提供することである。
【０００７】
【課題を解決するための手段】
この発明の手段は以下の通りである。
【０００８】
請求項１の発明は、着脱可能な充電器により内蔵バッテリーに充電する充電手段と、文字や画像を表示する表示部とを有する情報通信端末において、画像を取得する画像取得手段と、前記取得した画像の中で表示する画像を設定する設定手段と、前記内蔵バッテリーに充電中に前記設定した画像を前記表示部に表示する表示制御手段とを備えたことを特徴とする。
【０００９】
上記発明によれば、情報通信端末をクレイドルと称される充電器に装着して内蔵バッテリーに充電している時に、ユーザが予め設定した画像が情報通信端末の表示部に表示される。
【００１０】
請求項２の発明は、前記請求項１において、前記画像取得手段は、撮像手段であることを特徴とする。
【００１１】
上記発明によれば、情報通信端末に内蔵されたＣＣＤカメラなどの撮像手段により撮影した画像を画像メモリに格納して取得する。
【００１２】
請求項３の発明は、前記請求項１又は２において、前記充電手段により充電される内蔵バッテリーの電圧値が所定値を超えたか否かを判別する判別手段を更に備え、前記表示制御手段は、前記判別手段によって内蔵バッテリーの電圧値が前記所定値を超えたと判別されると、前記設定した画像を前記表示部に表示することを特徴とする。
【００１３】
上記発明によれば、情報通信端末の内蔵バッテリーの電圧値が所定値を超えると、設定した画像を前記表示部に表示し、内蔵バッテリーの充電容量が余り無い間に画像表示を行って内蔵バッテリーへの充電電力を殺ぐことがないようにして、充電時間の長時間化を避けている。
【００１４】
請求項４の発明は、前記請求項１乃至３いずれかにおいて、前記充電手段により充電される内蔵バッテリーの充電情報を取得する充電情報取得手段を更に備え、前記表示制御手段は、前記設定した画像と共に、前記充電情報取得手段によって取得された充電情報を表示することを特徴とする。
【００１５】
上記発明によれば、内蔵バッテリーに充電している時に、表示部に予め設定してある画像が表示されると共に、この表示部の同一画面中に内蔵バッテリーの例えば充電容量を示す充電情報が表示される。
【００１６】
請求項５の発明は、前記請求項４において、前記充電情報は前記表示部に間欠表示されることを特徴とする。
【００１７】
上記発明によれば、表示部に表示されている画像に充電情報が所定時間毎に間欠的に一定時間だけ表示される。
【００１８】
請求項６の発明は、前記請求項１乃至５いずれかにおいて、前記設定手段により複数枚の静止画が設定されると、前記表示制御手段は、前記設定された複数枚の静止画を１枚ずつ順番に且つ循環的に前記表示部に表示することを特徴とする。
【００１９】
上記発明によれば、内蔵バッテリーに充電している時に、ユーザにより予め設定された複数枚の画像が順番に且つ循環的に表示部に表示される。
【００２０】
【発明の実施の形態】
（第１の実施の形態）
以下、本発明の実施の形態を図面に基づいて説明する。図１は、本発明の第１の実施の形態に係る情報通信端末の構成を示した図である。
【００２１】
情報通信端末５０はかなり大きいＬＣＤ等の表示部６と、この表示部６上に設けられた透明なタッチセンサー６１と、キー操作部４１〜４７とを有し、クレードル（充電器）６０に着脱自在に設置されている。尚、図示されないが、情報通信端末５０の裏側には撮像用のレンズが露出している。
【００２２】
図２は上記した情報通信端末５０の構成例を示した回路図である。
【００２３】
情報通信端末５０の回路は、情報通信端末５０の各種動作及び全体の動作を制御する制御部１、情報通信端末として必要な各種データを記憶し且つ、制御部１が動作する上で必要なテータを記憶するＲＡＭ２、ユーザによる各種の設定情報などを記憶する書き替え可能なＲＯＭ（フラッシュＲＯＭ）３、各種キーが配列されたキー操作部４（図１における４１〜４７）、キー操作部４（４１〜４７）のキー押下情報を入力するキー入力部５、文字や図形などを表示するＬＣＤ等の表示部６、この表示部６上に設置された透明なタッチセンサー６１、表示部６を駆動して各種情報を表示させる表示ドライバ７、各種の音声信号を生成して報知スピーカ１７より出力する音源回路部８、電波を送受信するアンテナ９、アンテナ９を介して基地局（不図示）と無線によりデータを送受する無線送受信部１０、無線送受信部１０で受信したデータを復調し或いは、無線送受信部１０から送信するデータを変調するなどの無線通信に必要な処理をする無線信号処理部１１、制御部１を制御する各種プログラムなどを記憶するシステムＲＯＭ１２、内蔵バッテリー１４の電圧を測定して検出する電圧検出部１３、情報通信端末５０の電源である内蔵バッテリー（２次電池）１４、情報通信端末５０をクレードル（以降、充電器と呼ぶ）６０に設置した際の内蔵バッテリー１４と充電器６０との接点スイッチ１６のオンオフを検出する接点検出部１５、情報通信端末５０と充電器６０との電気的接続を行う接点スイッチ１６、各種音響信号を出力する報知スピーカ１７、ＣＣＤカメラなどの備えて被写体を撮影する撮像部１８、撮像部１８から得られる信号を画像データにするＤＳＰ１９、画像データを格納する画像メモリ２０及び内蔵バッテリー１４への充電／充電停止を切り換えるスイッチ回路２１を有し、これら部品がバス２２により相互に接続されている。
【００２４】
図３は図２に示したＲＡＭ２の記憶エリアの構成例を示した図である。ＲＡＭ２は制御部１のワークエリア２０１の他に表示用画像のアドレスを格納する表示用画像アドレスエリア２０２及び後述する起動条件を設定する起動条件設定エリア２０３を有している。
【００２５】
図４は図２に示した画像メモリ２０の記憶エリアの構成例を示した図である。アドレス毎に画像データが格納される。
【００２６】
次に本実施の形態の動作について説明する。ユーザは、情報通信端末５０のキー操作部４を操作することにより、端末５０を設定モードにして充電時に表示部６に写真などの画像を表示するように設定した場合、ＲＯＭ３から起動条件が読み出されてＲＡＭ２に設定される。この起動条件に対して、ユーザは内蔵バッテリー１４の容量がどのくらい（当初はデフォルト値の５０％）以上あれば充電時に画像表示をするかなどの条件を設定することができるようになっている。
【００２７】
ところで、本実施の形態の情報通信端末５０では、撮像部１８で撮影した画像やネットワーク上から無線送受信部１０を介して受信した画像を画像メモリ２０に格納してあるが、端末５０を上記の画像表示モードに設定した場合、これら画像の中でどれを表示するかは、ユーザがキー操作部４を操作して、画像メモリ２０に格納されている画像を読み出して表示部６に表示することにより任意に選択することができる。ユーザにより選択された画像のアドレスはＲＡＭ２の表示用画像アドレスエリア２０２に設定される。
【００２８】
次に本実施の形態の充電時の動作について図５のフローチャートを参照して説明する。情報通信端末５０を充電器６０に設置すると、制御部１は、電圧検出部１３により内蔵バッテリー１４の電圧を検出し、ステップＳ１で起動条件を満たしているかどうかを判定する。
【００２９】
ここで、起動条件とは、充電時の画像表示動作が設定されていて且つ、情報通信端末５０が充電器６０に設置された時の内蔵バッテリー１４の容量が、例えば満充電時の５０％以上である場合に画像表示動作を起動するという条件である。
【００３０】
上記ステップＳ１で起動条件を満たしている場合はステップＳ１０に進み、満たしていない場合はステップＳ２に進む。ステップＳ２にて、制御部１は接点検出部１５を介して情報通信端末５０と充電器６０の接点スイッチ１６がオン状態になったかどうかを判定し、接点スイッチ１６がオンしている場合はステップＳ４に進み、オフしている場合はステップＳ３に進む。
【００３１】
ステップＳ３では、充電モードを停止して表示部６に充電器６０との接続が旨くいっていないことを示すメッセージを表示して処理を終了する。ユーザはこの表示を見て情報通信端末５０を充電器６０から取り外して再セットする。
【００３２】
一方、ステップＳ４へ進んだ場合、電圧検出部１３により内蔵バッテリー１４の端子電圧の監視を開始し、ステップＳ５にて、上記電圧が（１）フル充電時の規定電圧以上か、（２）内蔵バッテリー１４の容量が５０％時の規定電圧以上で、フル充電時の規定電圧未満であるか、（３）内蔵バッテリー１４の容量が５０％時の規定電圧未満であるかを判定する。
【００３３】
（１）であると判定された場合、制御部１はステップＳ６へ進んでスイッチ回路２１をオフとして充電器６０による内蔵バッテリー１４への充電を停止する。
（２）であると判定された場合、ステップＳ７に進んでスイッチ回路２１をオンとして内蔵バッテリー１４への充電を開始する。（３）であると判定された場合、ステップＳ８へ進んで、スイッチ回路２１をオンとして内蔵バッテリー１４への充電を開始し、ステップＳ１に戻る。
【００３４】
ステップＳ９では上記した起動条件を満たしているかどうかを判定し、満たしていない場合はステップＳ２に戻り、満たしている場合はステップＳ１０へ進む。
【００３５】
ステップＳ１０では表示部６に起動条件変更画面を表示してユーザに起動条件の変更を促し、変更がある場合はＲＡＭ２に変更条件を設定し、変更がない場合はそのままステップＳ１１へ進む。制御部１はステップＳ１１で、ＲＡＭ２の表示用画像アドレスエリア２０２をチェックし、ここに登録されているアドレスを読み出し、画像メモリ２０のこのアドレスで記録されている画像データを読み出して、図６に示すように表示部６に表示する。表示部６へ設定画像を表示した後、ステップＳ１の処理に戻る。
【００３６】
尚、既に、表示部６に画像が表示されている場合、制御部１はステップＳ１１で、ＲＡＭ２の表示用画像アドレスエリア２０２をチェックし、そのアドレスが変化ない場合は現在の画像表示を続行したまま、ステップＳ１の処理に戻る。
【００３７】
本実施の形態によれば、予め表示する画像を決めておき、且つ、充電中に、画像を表示することを設定しておけば、情報通信端末５０を充電器６０に設置して内蔵バッテリー１４に充電している期間、起動条件を超えると、前記予め決定しておいた画像を表示部６に表示させることができる。
【００３８】
従って、充電中の情報通信端末５０の表示部６に、例えば装飾性の高い画像を表示させれば部屋のインテリアとして使用することができる。また、ユーザが気に入った画像とか、思い出のある画像を表示させれば、ユーザの気分を和ませる効果も期待することができ、情報通信端末５０の表示部６を有効利用することができる。特に本例のように情報通信端末５０に撮像機能が付いている場合、ユーザは充電中に表示させる画像をこの撮像機能を用いて得ることができ、撮像機能を用いた画像収集の楽しみを広げることができる。
【００３９】
尚、充電中の情報通信端末５０の表示部６に表示させる画像は静止画でも、動画でもよく、また、撮像部１８で撮った画像でも、或いは無線送受信部１０によりネットワーク上から取得したり、或いは別の携帯電話機や情報通信端末から受信した画像でもよい。
【００４０】
また、上記実施の形態では充電時に表示部６に表示する画像を一枚指定したが、複数枚指定して、順番に循環的に表示するようにしても同様の効果を得ることができる。
【００４１】
更に、充電時に表示部６に画像を表示すると共に音源回路部８と報知スピーカ１７などを用いて予め設定した音楽などを流すようにすれば、リラックス効果などを更に高めることができる。また、音楽だけを流すようにしても良い。
【００４２】
（第２の実施の形態）
図７は本発明の第２の実施の形態に係る情報通信端末の充電時の動作を示したフローチャートである。但し、本例の構成は上記した第１の実施の形態と同様であるため、以下同一の構成を持つ各部については、その構成動作の説明を省略し、以下、その動作の特徴部分を説明する。
【００４３】
次に本実施の形態の動作について説明する。本例では、充電中の情報通信端末５０の表示部６に画像を表示するかどうか及びその際に充電情報を表示するかどうかを設定することができる。ここで、ユーザは充電中の情報通信端末５０の表示部６に画像を表示し、その際に充電情報を表示することをキー操作部４を操作して制御部１に設定すると、情報通信端末５０は図７のフローチャートに示すような動作を行う。
【００４４】
その場合も、本実施の形態の情報通信端末５０の動作は、ステップＳ２１からステップＳ３１までは図５に示した第１の実施の形態の動作と同一であるが、ステップＳ３２で充電情報を表示した後、ステップＳ２２の処理に戻るところが第１の実施の形態と異なっているところである。
【００４５】
図８はステップＳ３２の充電情報の表示処理の詳細を示したサブルーチンである。制御部１はステップＳ３２１で内蔵バッテリー１４の電圧を電圧検出部１３を介して検出し、ステップＳ３２２で得られた検出電圧から現在の内蔵バッテリー１４の充電容量を算出する。次に制御部１はステップＳ３２３で前回表示部６に充電情報を表示してから所定時間経ったかどうかを判断し、経っていない場合はステップＳ１の処理に戻り、所定時間経った場合は、ステップＳ３２４で算出した充電容量６２を％で表示部６に図９に示すように大きく一定時間表示した後、ステップＳ１の処理に戻る。
【００４６】
本実施の形態によれば、情報通信端末５０の充電中に表示部６に画像を表示させることができ、第１の実施の形態と同様の効果がある。また、充電中の表示部６の画像表示画面内に充電情報を大きく表示できるため、充電情報の視認性が向上し、遠方からでも現在どのくらい充電されたかを容易に知ることができる。
【００４７】
また、上記実施の形態では充電情報は所定時間毎に一定時間しか表示されないため、目障りでなく、画像表示の妨げにはならず、画像を表示した効果を享受することができる。
【００４８】
更に、充電情報は上記した％表示だけでなく、充電終了までの残り時間などをユーザが任意に選択して表示させても同様の効果がある。更にまた、充電中は表示部６へ充電情報だけを表示させても良い。その場合は連続表示も選択により可能とする。更に、第２の実施の形態において、ステップＳ３２３では、所定時間経ったか否かの判断により充電容量を表示部６に表示させていたが、充電中、ユーザの任意のタイミングによるタッチセンサー６１へのタッチを検出することで、充電容量を表示部６に表示させてもよい。
【００４９】
尚、本発明は上記実施の形態に限定されることなく、その要旨を逸脱しない範囲において、具体的な構成、機能、作用、効果において、他の種々の形態によっても実施することができ、表示部を有し、画像を扱うことができ、且つ内蔵バッテリーへ充電する電子機器であれば、本発明を適用して同様の効果を得ることができる。
【００５０】
【発明の効果】
以上詳細に説明したように、請求項１に記載の発明によれば、内蔵バッテリーへの充電期間中に表示部に設定画像を表示することにより、部屋の装飾性を高めたり、ユーザの心を和ませたりすることができ、内蔵バッテリーへの充電期間中に表示部を有効利用することができる。
請求項２に記載の発明によれば、内蔵バッテリーへの充電期間中に表示部に表示する画像を内蔵の撮像手段を用いて自分で撮影することができ、家族の写真などマイナーな画像を表示することができる。
請求項３に記載の発明によれば、内蔵バッテリーの充電容量が例えば５０％を超える電圧値になると設定画像を画像表示することにより、内蔵バッテリーの充電時間にそれ程影響を与えずに画像を表示することができる。
請求項４に記載の発明によれば、画像表示中の表示部の同一画面内に充電情報を大きく表示することにより、内蔵バッテリーの充電情報の視認性を向上させることができる。
請求項５に記載の発明によれば、画像表示中の表示部の同一画面内に充電情報を間欠表示することにより、設定画像の表示を妨げることなく、視認性の良好な内蔵バッテリーの充電情報を表示することができる。
請求項６に記載の発明によれば、内蔵バッテリーへの充電期間中に複数の画像を表示することができ、多様な表示を行うことができる。
【図面の簡単な説明】
【図１】本発明の第１の実施の形態に係る情報通信端末の構成を示した図である。
【図２】図１に示した情報通信端末の構成例を示した回路図である。
【図３】図２に示したＲＡＭの記憶エリアの構成例を示した図である。
【図４】図２に示した画像メモリの記憶エリアの構成例を示した図である。
【図５】図１に示した情報通信端末の充電時の動作手順を示したフローチャートである。
【図６】図１に示した表示部に充電中に表示される画像例を示した図である。
【図７】本発明の第２の実施の形態に係る情報通信端末の充電時の動作手順を示したフローチャートである。
【図８】図７に示したステップＳ３２の充電情報の表示処理の詳細を示したサブルーチンである。
【図９】情報通信端末の表示部に充電中に表示される画像及び充電情報例を示した図である。
【符号の説明】
１  制御部
２  ＲＡＭ
３  ＲＯＭ（フラッシュＲＯＭ）
４、４１〜４７  キー操作部
５  キー入力部
６  表示部
７  表示ドライバ（バッファ）
８  音源回路部
９  アンテナ
１０  無線送受信部
１１  無線信号処理部
１２  システムＲＯＭ
１３  電圧検出部
１４  内蔵バッテリー
１５  接点検出部
１６  接点スイッチ
１７  報知スピーカ
１８  撮像部
１９  ＤＳＰ
２０  画像メモリ
２１  スイッチ回路
２２  バス
５０  情報通信端末
６０  クレードル（充電器）
６１  タッチセンサー
【図１】
2004320909.tif 000003
【図２】
2004320909.tif 000004
【図３】
2004320909.tif 000005
【図４】
2004320909.tif 000006
【図５】
2004320909.tif 000007
【図６】
2004320909.tif 000008
【図７】
2004320909.tif 000009
【図８】
2004320909.tif 000010
【図９】
2004320909.tif 000011